(57)【特許請求の範囲】
【請求項１】
壁面などに取り付けるための固定部と、ロールペーパーを保持するために筒芯内に挿入して用いるロールペーパー保持部とを有するロールペーパーホルダー支持体を備え、
ペーパーカッターと、ペーパーをカットする際、前記筒芯に抵抗を与えて前記ロールペーパーの回転を止めるための回転抑制部とを有するペーパーカット機構を備え、
前記ペーパーカット機構がペーパーカット機構支持部を回転中心として前記ロールペーパーホルダー支持体に接続されているロールペーパーホルダーであって、
前記ロールペーパーの回転に対して抵抗を与えるための回転抵抗機構を有することを特徴とするロールペーパーホルダー。
【請求項２】
前記回転抵抗機構が前記筒芯内に摩擦抵抗を与える仕組みを有することを特徴とする請求項１に記載のロールペーパーホルダー。
【請求項３】
前記回転抑制部が前記回転抵抗機構を兼ねることを特徴とする請求項１または請求項２に記載のロールペーパーホルダー。
【発明の詳細な説明】
【技術分野】
【０００１】
本発明は、例えばトイレットペーパーなどを片手で切断するためのロールペーパーホルダーに関する。
【背景技術】
【０００２】
従来、トイレットペーパーなどを切断するためのロールペーパーホルダーにおいては、衛生面、利便性の観点から、片手のみで容易に切断でき、かつ切断部がペーパーカッターで隠れることが無く、そのまま掴め、引き続き引き出して切断できるロールペーパーホルダーが提案されてきた。
【０００３】
この種のロールペーパーホルダーとしては特許文献1に開示された物が知られている。
【０００４】
このロールペーパーホルダーにおいては、カットバーにペーパーで負荷をかけた際、カットバーと一体となっている押さえレバーが筒芯内部よりロールペーパーの回転を抑える仕組みとなっており、確実にペーパーを切断することが出来る。
【先行技術文献】
【特許文献】
【０００５】
【特許文献１】特開２０００−２３７０９２号公報
【発明の概要】
【発明が解決しようとする課題】
【０００６】
しかしながら、前記文献開示のロールペーパーホルダーにおいては、ロールペーパーの残量が減って、軽くなってくると、カットバーを持ち上げる際の弱い力でもペーパーが引き出され続けるようになる。つまり、押さえレバーが筒芯を内側からしっかり押さえることが出来ず、ロールペーパーの回転を止められないためぺーパーを片手でカットできなくなるという問題があった。
【０００７】
本発明は上記に鑑みてなされた物であり、ペーパーの残量にかかわらず、ペーパーをつかみやすく、ペーパーを片手で確実かつ容易に切断でき、仕組みを簡便にすることにより安価で、かつ形状に多様性を持たせたロールペーパーホルダーの提供を目的とする。
【課題を解決するための手段】
【０００８】
壁面などに取り付けるための固定部と、ロールペーパーを保持するために筒芯内に挿入して用いるロールペーパー保持部とを有するロールペーパーホルダー支持体を備え、ペーパーカッターと、ペーパーをカットする際、筒芯に抵抗を与えてロールペーパーの回転を止めるための回転抑制部とを有するペーパーカット機構を備え、ペーパーカット機構がペーパーカット機構支持部を回転中心としてロールペーパーホルダー支持体に接続されているロールペーパーホルダーであって、ロールペーパーの回転に対して抵抗を与えるための回転抵抗機構を有するロールペーパーホルダーである。
【０００９】
さらに、  回転抵抗機構が筒芯内に摩擦抵抗を与える仕組みを有するものである。
【００１０】
さらに、回転抑制部が回転抵抗機構を兼ねる仕組みを有するものである。
【発明の効果】
【００１１】
本発明によれば、ペーパーの残量にかかわらず、ペーパーを片手でつかみやすく、引き出したペーパーがカットの際、確実にロールペーパーの回転を止めることができ、片手で確実かつ容易にペーパーを切断できる。さらに、仕組みを簡便にすることにより、安価で、かつ形状に多様性を持たせたロールペーパーホルダーを提供することが出来る。
【図面の簡単な説明】
【００１２】
【図１】本発明の第１の実施形態に係るロールペーパーホルダーの斜視図である。
【図２】ペーパーカッターに対して無負荷時における、第１の実施形態のロールペーパーホルダーの側面図である。
【図３】ペーパーカット時における、第１の実施形態のロールペーパーホルダーの側面図である。
【図４】本発明の第２の実施形態に係るロールペーパーホルダーの斜視図である。
【図５】本発明の第３の実施形態に係るロールペーパーホルダーの斜視図である。
【発明を実施するための形態】
【００１３】
本発明の実施の形態を、以下図面を用いて説明する。
【実施例１】
【００１４】
図１は本発明によるロールペーパーホルダーの第１の実施形態を示す斜視図である。固定部４によりロールペーパーホルダーが壁面等に固定された状態を示している。
【００１５】
一般的なロールペーパーホルダーにおいては、ペーパー３１のカットを兼用したロールペーパーカバーを用いることが多いが、本発明においては、ロールペーパーカバーを必要としない。このためロールペーパー３０の交換の際、いちいちロールペーパーカバーを持ち上げる操作が必要なく、大変便利である。
【００１６】
そして、ロールペーパー保持部５の端に適当な傾斜をつけたり、段差をつけたりしておけば、使用時のロールペーパー３０の脱落も防止できる。
【００１７】
ここで、ロールペーパー保持部５と回転抑制部６はロールペーパー３０の筒芯２０内に収まるサイズで作ってある。抵抗部材１０は筒芯２０と接する位置で、フック１１に引っかけた状態で保持してある。また、抵抗部材１０のサイズは、ロールペーパー３０をロールペーパー保持部５に設置する際、筒芯２０には接触するが、挿入の大きな妨げにならないサイズにしてある。
【００１８】
図２と図３は本発明の仕組みを説明するための側面図である。
【００１９】
図２はロールペーパー３０をロールペーパー保持部５に設置した状態で、ペーパーカッター７に対して無負荷時の、ロールペーパーホルダーの側面図である。図２から分かる様に抵抗部材１０は筒芯に乗り上げ、傾いた形で内側から接触し、ロールペーパー３０の回転の抵抗となっている。
【００２０】
次に、ペーパー３１を所望の量だけ引き出し、引き上げてペーパーカッター７に当てる。このまま引き上げると、上に引き上げる力により、ペーパーカッター７が一緒に上に上がり、ペーパーカット機構支持部８を回転中心として、回転抑制部６が下がって筒芯２０に接触する。この状態を示したものが図３である。
【００２１】
そして、回転抑制部６の接触によってロールペーパー３０の回転がとめられ、ペーパーが引き出せなくなるため、ペーパーカッター７によって、ペーパー３１がカットされる。ペーパー３１がカットされると、ペーパーカッター７への負荷が無くなるので、ペーパーカッター７は下に下がり、回転抑制部６は上に上がって、図２の状態に戻る。この時、ペーパーカッター７とロールペーパー３０の間には距離があるため、ペーパー３１は垂れ下がった状態となり、ひき続きペーパー３１を掴んで引き出すことが出来る。この垂れ下がり量はロールペーパー３０とペーパーカッター７の位置関係で決めることができる。
【００２２】
ここで、ペーパー３１を引き出す際には、筒芯２０に接触した抵抗部材１０が最低限の抵抗となり、ロールペーパーが消費されどんなに軽くなっても、抵抗部材１０による抵抗力より弱い力ではペーパー３１を引き出すことは出来ない。
【００２３】
抵抗部材１０が無い場合、ロールペーパー３０の使い始めの状態では一般的に０．５N程度の静止摩擦力があり、ペーパーカット機構２が十分機能するが、ペーパー３１の残量が少なくなってくると、静止摩擦力が０．０２Ｎをも下回ってきて、ペーパーカッター７を持ち上げることが出来なくなる。この場合ペーパー３１が引き出され続けることとなり、回転抑制部６が筒芯２０を内側からしっかり押さえることが出来ず、ロールペーパー３０の回転を止められないためペーパー３１を片手でカットできなくなる。
【００２４】
ペーパーカット機構２を機能させるには、ペーパー３１を引き出す際に少なくとも０．０２Ｎ以上の静止摩擦力が必要である。ロールペーパー３０に様々な種類があることやペーパーカット機構２の設計の自由度を考えると、０．０５N以上の静止摩擦力があることがより好ましい。
【００２５】
また、静止摩擦力があまりにも大きすぎると、引き出し途中でペーパー３１がちぎれるという弊害が出てきてしまうため、静止摩擦力の上限としては５N程度である。ペーパー３１のミシン目の有無や厚みの違いなど、様々なロールペーパー３０に対応するには上限として１Nまでがより望ましい。
【００２６】
従って、  回転抵抗機構３によって負荷された摩擦抵抗力を含めたロールペーパー３０からペーパー３１を引き出す際の静止摩擦力は０．０２Ｎ〜５Ｎの間であることが望ましく、より好ましくは０．０５N〜１Nの間である。
【００２７】
ここでは回転抵抗機構３にフック１１とリング状の抵抗部材１０を組み合わせた物を用いたが、本発明はこれに限ること無く、筒芯２０に摩擦抵抗を与えるものであれば何でも良い。
【００２８】
たとえば、抵抗部材１０はリング状の代わりに鎖状のものを用いて、その重量で摩擦抵抗を与えても良いし、筒芯サイズより若干大きくなる様に弾性のあるプラスチックをロールペーパー保持部５に固定して、その弾性を利用して摩擦抵抗を与えても良い。
【００２９】
この他にも、芳香剤や消臭剤含んだ棒を筒芯に挿入して、その重量で摩擦抵抗を与える方法も考えられる。この棒はロールペーパー保持部５に、接続してあっても良いし、完全に独立していても良い。これらはいずれも、回転抵抗機構３である。
【実施例２】
【００３０】
つぎに、第２の実施形態を図４で説明する。
【００３１】
図４は本発明によるロールペーパーホルダーの第２の実施形態を示す斜視図である。図から分かる様に第２の実施形態では、固定部４と板状の抵抗部材１０がヒンジ１２で接続され回転抵抗機構３をなしている。
【００３２】
この場合、抵抗部材１０の重量により直接ロールペーパー３０を押さえることによりロールペーパー３０の静止摩擦力を高めている。ペーパーカッター７があるために、抵抗部材１０はあまり手前に長く出来ないことから、図４の様にL型にし、ロールペーパーの交換時に掴む部分を作り、交換を容易にしている。
【００３３】
ここで抵抗部材１０は、L型で板状の物を示したが、当然他の形状でも良い。棒状や、鎖状の物でも良い。ここで重要なことは、重量を用いてロールペーパー３０を押さえ、ロールペーパー３０の静止摩擦力を上げるということである。
【実施例３】
【００３４】
つぎに、第３の実施形態を図５で説明する。第３の実施形態では、ロールペーパーホルダー支持体１とペーパーカット機構２とを全て板状材料の曲げ加工のみで形成している。これにより、材料コスト、組立コストを非常に安価にすることが出来る。
【００３５】
さらに、円筒形状の抵抗部材１０を回転抑制部６に被せ入れた構成としている。図５に示す様に回転抑制部６の下辺を筒芯２０と平行に、上辺を斜めにすることにより、抵抗部材１０を回転抑制部６に傾けて被せ入れられる。従ってロールペーパー３０をロールペーパー保持部５に設置する際には挿入口で抵抗部材１０は障害にならず、途中で接触して、押し込んだところでは抵抗部材１０の片方が筒芯２０に乗り上げていることとなる。これによって、ロールペーパー３０が回転する際、抵抗を与えることが出来る。ここでは抵抗部材１０と回転抑制部６とが回転抵抗機構３をなしている。
【００３６】
そして、ペーパー３１をカットする際には、回転抑制部６が抵抗部材１０を筒芯２０に押しつけることになる。つまり、抵抗部材１０を介して回転抑制部６が筒芯２０に抵抗を与え、ロールペーパー３０の回転を止めることとなる。つまり、回転抑制部が回転抵抗機構を兼ねる仕組みを有しているものである。
【００３７】
本実施例においては、抵抗部材１０は円筒形状で説明したが、必ずしもこの形状にこだわるものではない。回転抑制部６に対して容易に被せ入れられる大きさで長方形の穴形状であってもよいし、外径も円形に限らず、四角や星形であっても良い。抵抗部材１０において重要なことは、ロールペーパー３０が設置可能な大きさであって、かつ筒芯２０に接触し、ロールペーパー３０の回転の際に抵抗を与えられる形態であることである。
【００３８】
また、利便性から抵抗部材１０は回転抑制部６に対してロールペーパー３０を設置する前に取り付けてある例で説明したが、ロールペーパー３０を設置後に抵抗部材１０を取り付けても何ら問題はない。
【００３９】
さらに、抵抗部材１０に消臭材や芳香剤の機能を加えてもよい。
【００４０】
以上述べたように、本発明によるロールペーパーホルダーは、ペーパーの残量にかかわらず、ペーパーをつかみやすく、ペーパーを片手で確実かつ容易に切断でき、仕組みを簡便にすることにより安価で、かつ形状に多様性を持たせることができる。
【符号の説明】
【００４１】
１  ロールペーパーホルダー支持体
２  ペーパーカット機構
３  回転抵抗機構
４  固定部
５  ロールペーパー保持部
６  回転抑制部
７  ペーパーカッター
８  ペーパーカット機構支持部
１０  抵抗部材
１１  フック
１２  ヒンジ
２０  筒芯
３０  ロールペーパー
３１  ペーパー
【要約】 
【課題】  ペーパーをつかみやすく、片手で確実かつ容易に切断でき、仕組みを簡便にすることにより安価で、形状に多様性を持たせたロールペーパーホルダーを提供する。
【解決手段】  固定部と、ロールペーパー保持部とを有するロールペーパーホルダー支持体を備え、ペーパーカッターと回転抑制部とを有するペーパーカット機構を備え、ペーパーカット機構がペーパーカット機構支持部を回転中心としてロールペーパーホルダー支持体に接続されており、ロールペーパーを引き出す際、ロールペーパーの回転に対して抵抗を与えるための回転抵抗機構を有するロールペーパーホルダーを用いる。
【選択図】  図１【図１】
0006964913.tif 000002
【図２】
0006964913.tif 000003
【図３】
0006964913.tif 000004
【図４】
0006964913.tif 000005
【図５】
0006964913.tif 000006